(57)【特許請求の範囲】
【請求項１】
哺乳瓶４０の開口部４１に乳首５０の縁５１を挟んで蓋４３を螺合することにより哺乳瓶４０が授乳可能状態となり、更に乳首５０と蓋４３を外側から覆うように椀形のカバー４７を装着することにより哺乳瓶４０が授乳待機状態とされる哺乳瓶において、
授乳待機状態にある哺乳瓶のカバー４７内で乳首５０をその空洞１３内に収納して保持される全体として椀形を成す補助具１であり、
椀形の本体１０の開口縁１５に、操作者の指６１，６２が入る幅で、本体１０の一方および他方の側部１１，１２に沿って、開口縁１５から離れる方向に延びる第１および第２の張り出し片２０，３０が互いに対応して設けられ、
本体１０の開口縁１５は楕円形を成し、互いに対応して第１および第２の張り出し片２０，３０が設けられている部位間が短径とされ、且つ両張り出し片２０，３０間の長さが長径と同程度とされ、
本体１０は、カバー４７から外された状態で、第１および第２の張り出し片２０，３０と本体１０の一方および他方の側部１１，１２との間にそれぞれ挿入された操作者の２本の指の間隔を縮めることにより、哺乳瓶４０から取り外された状態の乳首５０の縁５１や乳首５０の乳頭部５２を、本体１０の一方および他方の側部１１，１２間に挟むことができるように可撓性を備える
ことを特徴とする哺乳瓶の補助具。
【請求項２】
請求項１に記載の哺乳瓶の補助具であって、
本体１０および一対の張り出し片２０，３０が合成樹脂で一体に成形されていることを特徴とする哺乳瓶の補助具。
【発明の詳細な説明】
【技術分野】
【０００１】
本発明は、哺乳瓶に乳首を装着する際に乳首に手が触れないようにすることができる哺乳瓶の補助具である。
【背景技術】
【０００２】
従来、哺乳瓶に乳首を装着して使用している（例えば特許文献１参照）。乳首は、乳児がミルクを飲む際に口にくわえるものであるので、哺乳瓶に装着する前に乳首は消毒されている。
【特許文献１】特開平６−３０４２３１号公報
【発明の開示】
【発明が解決しようとする課題】
【０００３】
しかし、上述の従来例では、乳首を手で持って哺乳瓶に装着する場合がほとんどであるので、手に付着した細菌、かびなどの有害なばい菌が乳首に付着することになり、この乳首を口にくわえた乳児に害を与える原因となるおそれがある。
そこで、本発明が解決しようとする課題は、哺乳瓶に乳首を装着する際に乳首に手が触れないようにすることができる哺乳瓶の補助具を提供することである。
【課題を解決するための手段】
【０００４】
上記課題を解決するため、請求項１記載の発明は、哺乳瓶４０の開口部４１に乳首５０の縁５１を挟んで蓋４３を螺合することにより哺乳瓶４０が授乳可能状態となり、更に乳首５０と蓋４３を外側から覆うように椀形のカバー４７を装着することにより哺乳瓶４０が授乳待機状態とされる哺乳瓶において、授乳待機状態にある哺乳瓶のカバー４７内で乳首５０をその空洞１３内に収納して保持される全体として椀形を成す補助具１であり、椀形の本体１０の開口縁１５に、操作者の指６１，６２が入る幅で、本体１０の一方および他方の側部１１，１２に沿って、開口縁１５から離れる方向に延びる第１および第２の張り出し片２０，３０が互いに対応して設けられ、本体１０の開口縁１５は楕円形を成し、互いに対応して第１および第２の張り出し片２０，３０が設けられている部位間が短径とされ、且つ両張り出し片２０，３０間の長さが長径と同程度とされ、本体１０は、カバー４７から外された状態で、第１および第２の張り出し片２０，３０と本体１０の一方および他方の側部１１，１２との間にそれぞれ挿入された操作者の２本の指の間隔を縮めることにより、哺乳瓶４０から取り外された状態の乳首５０の縁５１や乳首５０の乳頭部５２を、本体１０の一方および他方の側部１１，１２間に挟むことができるように可撓性を備えることを特徴とする哺乳瓶の補助具である。
請求項１記載の発明により、乳首５０の乳頭部５２を哺乳瓶４０の蓋４３の孔４４に入れる際に、可撓性がある本体１０と可撓性がある第１の張り出し片２０との間に手の第１の指を置き、前記本体１０と可撓性がある第２の張り出し片３０との間に手の第２の指を置いた状態で、前記第１および第２の指により乳首５０の縁５１を保持することができるので、前記第１および第２の指が乳首５０に接触しないようにして乳首５０の乳頭部５２を哺乳瓶４０の蓋４３の孔４４に入れることができる。
さらに、哺乳瓶４０の蓋４３の孔４４に入れた乳首５０の乳頭部５２を手の指で引っ張って、哺乳瓶４０の蓋４３の孔４４に乳首５０を装着する際に、乳首５０の乳頭部５２を前記本体１０で覆って前記本体１０を介して前記乳首５０の乳頭部５２を手の指で引っ張ることができるので、前記第１および第２の指が乳首５０に接触しないようにして乳首５０を哺乳瓶４０の蓋４３の孔４４に装着することができる。
【０００５】
さらに、本体１０は、その内部が空洞１３で、本体１０の底面が開口面１４であるので、乳首５０を覆うことができる。
【０００６】
さらに、請求項２記載の発明は、請求項１に記載の哺乳瓶の補助具であって、本体１０、第１の張り出し片２０および第２の張り出し片３０が合成樹脂で一体に成形されていることを特徴とする哺乳瓶の補助具である。
請求項２記載の発明により、本体１０、第１の張り出し片２０および第２の張り出し片３０が合成樹脂で一体に成形されているので、本体１０、第１の張り出し片２０および第２の張り出し片３０を形成することが容易である。
【発明の効果】
【０００７】
請求項１記載の発明に係わる哺乳瓶の補助具によれば、乳首５０を哺乳瓶４０の蓋４３に手で装着するときに、手が乳首５０に触れないようにすることができる。
さらに、本体１０の開口縁１５は楕円形を成し、互いに対応して第１および第２の張り出し片２０，３０が設けられている部位間が短径とされ、且つ両張り出し片２０，３０間の長さが長径と同程度とされているため、哺乳瓶の補助具を使用しないときに、哺乳瓶４０の補助具１を乳首５０に被せて、さらに、哺乳瓶４０の補助具１にカバー４７を被せることが容易になる。
さらに、請求項２記載の発明によれば、請求項１記載の発明の効果とともに、哺乳瓶４０の補助具１を容易に製造することができる。
【発明を実施するための最良の形態】
【０００８】
以下、本発明における実施の形態を図面に基づいて説明する。
図１は本発明の実施の形態に係わる哺乳瓶の補助具の正面を示し、図２は図１の哺乳瓶の補助具の平面を示し、図３は図１の哺乳瓶の補助具の底面を示し、図４は図１の哺乳瓶の補助具の第１の使用状態を示し、図５は図１の哺乳瓶の補助具の第２の使用状態を示し、図６は図１の哺乳瓶の補助具を哺乳瓶に収納した状態を示す。
【０００９】
図１および図２に示すように、哺乳瓶の補助具１は、可撓性がある本体１０と本体１０の一方の側部１１に連設された可撓性がある第１の張り出し片２０と本体１０の他方の側部１２に連設された可撓性がある第２の張り出し片３０とを具備している。
具体的には、一方の側部１１の下端部に第１の張り出し片２０の基部２１が連設され、第１の張り出し片２０の先端部２２は一方の側部１１に沿って配置されている。また、他方の側部１２の下端部に第２の張り出し片３０の基部３１が連設され、第２の張り出し片３０の先端部３２は他方の側部１２に沿って配置されている。
【００１０】
そして、図４に示すように、乳首５０の乳頭部５２を哺乳瓶４０（図６参照）の開口部４１の蓋４３の内側から蓋４３の孔４４（図６参照）に入れる際に、本体１０と第１の張り出し片２０との間に手の第１の指６１（例えば親指）を置き、本体１０と第２の張り出し片３０との間に手の第２の指（例えば人差し指）６２を置いた状態で、本体１０を押しつぶして、第１および第２の指６１、６２により乳首５０の縁５１を保持することがでる。
さらに、図５に示すように、上述のようにして哺乳瓶４０の蓋４３の孔４４に入れた乳首５０の乳頭部５２を第１および第２の指６１、６２で摘んで引っ張って、哺乳瓶４０の蓋４３の孔４４に乳首５０を装着する際に、乳首５０の乳頭部５２を本体１０で覆って本体１０を介して乳首５０の乳頭部５２を指６１、６２で保持して引っ張ることができる。
【００１１】
なお、図３に示すように、本体１０の内部は空洞１３であり、その底面が開口面１４であり、開口面１４の縁１５が楕円形であり、この楕円形の短軸１６の一方の端１６ａに第１の張り出し片２０が連設され、短軸１６の他方の端１６ｂに第２の張り出し片３０が連設されている。
さらに、本体１０、第１の張り出し片２０および第２の張り出し片３０がシリコーンゴム等の合成樹脂で一体に成形されている。
【００１２】
さらに、図６に示すように、乳首５０を覆うカバー４７が蓋４３に嵌合するように配置されている。具体的には、哺乳瓶の補助具１を使用しないときは、蓋４３の孔４４に装着した乳首５０を本体１０の空洞１３（図３参照）の中に入れて、本体１０で乳首５０を覆うようにする。さらに、哺乳瓶の補助具１全体をカバー４７で覆うように蓋４３にカバー４７を装着する。その際、乳首５０の溝部５３が蓋４３の孔４４に嵌合する。また、蓋４３のフランジ部４６上にカバー４７の下端部が当接する。
なお、蓋４３は哺乳瓶４０の開口部４１を開閉するものであり、哺乳瓶４０の開口部４１の縁の雄ネジ４２に蓋４３の雌ネジ４５が螺合する。
【００１３】
以上の構成の哺乳瓶の補助具１は、以下の働きをする。
すなわち、乳首５０の乳頭部５２を哺乳瓶４０の蓋４３の孔４４に入れる際に、補助具１の可撓性がある本体１０と可撓性がある第１の張り出し片２０との間に手の第１の指６１を置き、本体１０と可撓性がある第２の張り出し片３０との間に手の第２の指６２を置いた状態で、第１および第２の指６１、６２により乳首５０の縁５１を保持することができるので、第１および第２の指６１、６２が乳首５０に接触しないようにして乳首５０の乳頭部５２を哺乳瓶４０の蓋４３の孔４４に入れることができる。
さらに、哺乳瓶４０の蓋４３の孔４４に入れた乳首５０の乳頭部５２を手の指（６１、６２等）で引っ張って、蓋４３の孔４４に乳首５０を装着する際に、乳首５０の乳頭部５２を本体１０で覆って本体１０を介して乳首５０の乳頭部５２を手の指（６１、６２等）で引っ張ることができるので、手の指（６１、６２等）が乳首５０に接触しないようにして乳首５０を哺乳瓶４０の蓋４３の孔４４に装着することができる。
【００１４】
さらに、本体１０は、その内部が空洞１３で、本体１０の底面が開口面１４であるので、乳首５０を覆うことができる。そして、開口面１４の縁１５が楕円形であり、この楕円形の短軸１６の一方の端１６ａに第１の張り出し片２０が連設され、短軸１６の他方の端１６ｂに第２の張り出し片３０が連設されているので、第１の張り出し片２０から第２の張り出し片３０までの長さが前記楕円の長軸と同じ程度にすることができる。
【００１５】
さらに、本体１０、第１の張り出し片２０および第２の張り出し片３０がシリコーンゴム等の合成樹脂で一体に成形されているので、本体１０、第１の張り出し片２０および第２の張り出し片３０を形成することが容易である。
【００１６】
なお、上記実施の形態において、本体１０の形状は図示されたものに限定されず、たとえば、筒状で、筒の一端となる上端が閉じて、筒の他端となる底面が開口している形状であってもよい。
また、哺乳瓶の補助具１の材質は、合成樹脂に限らず、天然ゴム等でもよい。
さらに、哺乳瓶の補助具１の消毒方法に関しては、哺乳瓶等と同様で、消毒液・煮沸・電子レンジのいずれも可能であり、かつ、哺乳瓶等と同時に消毒することができるという利点もあるので、経済的である。
【図面の簡単な説明】
【００１７】
【図１】本発明の実施の形態に係わる哺乳瓶の補助具の正面図である。
【図２】図１の哺乳瓶の補助具の平面図である。
【図３】図１の哺乳瓶の補助具の底面図である。
【図４】図１の哺乳瓶の補助具の第１の使用状態を示す説明図である。
【図５】図１の哺乳瓶の補助具の第２の使用状態を示す説明図である。
【図６】図１の哺乳瓶の補助具を哺乳瓶に収納した状態を示す断面図である。
【符号の説明】
【００１８】
１  補助具
１０  本体
１１  一方の側部
１２  他方の側部
１３  空洞
１４  開口面
１５  縁
１６  短軸
１６ａ  一方の端
１６ｂ  他方の端
２０  第１の張り出し片
３０  第２の張り出し片
４０  哺乳瓶
４３  蓋
４４  孔
５０  乳首
５１  縁
５２  乳頭部
６１  第１の指
６２  第２の指
【図１】
0004446398.tif 000002
【図２】
0004446398.tif 000003
【図３】
0004446398.tif 000004
【図４】
0004446398.tif 000005
【図５】
0004446398.tif 000006
【図６】
0004446398.tif 000007